(57)【要約】【課題】この発明は、ケーブル接続部の絶縁抵抗が低下した場合等において稼働率を大幅に低下させることを防止できるガンマサーモメータ用コネクタを提供することを課題とする。【解決手段】ガンマ線検出器１は、サーモメータ本体２、コネクタ４、および信号検出部６を有する。サーモメータ本体２は、複数の熱電対を有し、コネクタ４の先端に接続されている。複数の熱電対からそれぞれ導出された複数の接続ケーブル１５は、コネクタ４を介して、それぞれ独立して信号検出部６に接続されている。【選択図】      図１
2005214675.tif 000002
【特許請求の範囲】
【請求項１】
それぞれ熱電対を構成した複数の熱電対ケーブルとこれら複数の熱電対ケーブルそれぞれに対応した複数の接続ケーブルを接続するガンマサーモメータ用コネクタであって、
上記各熱電対からの電気信号を検出する信号検出部に対し、上記複数の接続ケーブルをそれぞれ独立して接続したことを特徴とするガンマサーモメータ用コネクタ。
【請求項２】
上記複数の熱電対ケーブルと対応する上記複数の接続ケーブルを耐水および絶縁状態で接続する複数のコネクタ部をさらに備えていることを特徴とする請求項１に記載のガンマサーモメータ用コネクタ。
【請求項３】
上記熱電対は、ガンマ線を熱に変換するガンマ線−熱変換機能を有することを特徴とする請求項１に記載のガンマサーモメータ用コネクタ。
【発明の詳細な説明】
【技術分野】
【０００１】
本発明は、複数の熱電対ケーブルと複数の接続ケーブルを接続するガンマサーモメータ用コネクタに関する。
【背景技術】
【０００２】
従来、液体や気体などの各種環境の温度分布を測定する装置として、シース形熱電対を用いた熱電対装置が知られている（例えば、特許文献１参照。）。この熱電対装置は、複数のシース形熱電対の感熱領域にスリーブ状のスペーサを取り付けて保護管内に収納し、保護管を縮径することにより構成されている。これにより、シース形熱電対の感熱領域と保護管との間の空間を埋めて両者を密着させ、熱接触性を向上させている。
【０００３】
そして、保護管を通ったシース形熱電対の後端は、アダプタ内にて、接続装置介して補償導線に接続されている。さらに、補償導線の後端は、アダプタから導出された後、アース側の導線を束線接続されるのが一般的である。
【０００４】
しかし、上述したように、補償導線の後端を束線接続すると、束線部より下流側で絶縁抵抗が低下した場合、全ての熱電対が使用不可能となってしまう。
【特許文献１】特開２００２−１０７２３３号公報（要約書、図１）
【発明の開示】
【発明が解決しようとする課題】
【０００５】
この発明は、以上の点に鑑みなされたもので、その目的は、ケーブル接続部の絶縁抵抗が低下した場合において稼働率を大幅に低下させることを防止できるガンマサーモメータ用コネクタを提供することにある。
【課題を解決するための手段】
【０００６】
上記目的を達成するため、本発明のガンマサーモメータ用コネクタは、それぞれ熱電対を構成した複数の熱電対ケーブルとこれら複数の熱電対ケーブルそれぞれに対応した複数の接続ケーブルを接続するものであって、上記各熱電対からの電気信号を検出する信号検出部に対し、上記複数の接続ケーブルをそれぞれ独立して接続したことを特徴とする。
【０００７】
上記発明によると、複数の接続ケーブルを信号検出部にそれぞれ独立して接続しているため、いずれか１本の接続ケーブルにおいて絶縁抵抗が低下したような場合であっても、他の接続ケーブルで接続した熱電対は使用可能となる。このため、上述したような不具合が生じた場合であっても、サーモメータが直ぐに使用不可能になることはなく、稼働率を大幅に低下させることを防止できる。
【０００８】
特に、このコネクタを、原子炉内に設置してガンマ線強度を測定するガンマサーモメータ用のコネクタとして使用する場合、ガンマサーモメータを原子炉の底部近くに配置して使用するため、上述したような不具合を生じた場合、コネクタを簡単に補修することができない。このため、本発明のコネクタを使用してガンマサーモメータの稼働率の低下を抑制することが重要となる。
【発明の効果】
【０００９】
この発明のガンマサーモメータ用コネクタは、上記のような構成および作用を有しているので、ケーブル接続部の絶縁抵抗が低下した場合等において稼働率を大幅に低下させることを防止できる。
【発明を実施するための最良の形態】
【００１０】
以下、図面を参照しながらこの発明の実施の形態について詳細に説明する。  
図１には、この発明の実施の形態に係るガンマサーモメータ用コネクタを組み込んだガンマ線検出器１の概略構造を示してある。ガンマ線検出器１は、サーモメータ本体２、コネクタ４、および信号検出部６を有し、例えば、原子炉内の放射線出力分布の計測などに使用され、ガンマ線照射によって生じる発熱の温度差を利用してガンマ線強度を測定する。
【００１１】
サーモメータ本体２は、コネクタ４の先端に取り付けられ、信号検出部６は、コネクタ４の後端から導出されたケーブル（後述する）に接続されている。サーモメータ本体２およびコネクタ４は、ガンマ線検出器１の設置の都合上、水中を移動することがあるため、耐水性および電気的な高絶縁性が要求される。
【００１２】
コネクタ４の内部には、図２に拡大して示すように、差動型の熱電対を構成する例えば９本の熱電対ケーブル１１、ヒータケーブル１２およびヒータアースケーブル１３が収容されている。また、コネクタ４内には、９本の熱電対ケーブル１１をそれぞれ接続した９対の接続ケーブル１５、およびヒータケーブル１２を接続したヒータ接続ケーブル１６が収容されている。そして、各熱電対ケーブル１１が後に詳述するコネクタ部２１を介してそれぞれ対応する接続ケーブル１５に高絶縁および耐水性を有して接続され、ヒータケーブル１２がコネクタ部２２を介してヒータ接続ケーブル１６に接続されている。
【００１３】
つまり、コネクタ４の後端からは、図１に示すように、合計２０本（接続ケーブル１５［１８本］＋ヒータ接続ケーブル１６［１本］＋ヒータアースケーブル１３［１本］）のケーブルが導出され、それぞれ独立して信号検出部６に接続されている。
【００１４】
図３には、後に詳述する複数の熱電対１０から導出された９対の接続ケーブル１５を信号検出部６に接続した回路図を示してある。ここでは、ヒータ接続ケーブル１６およびヒータアースケーブル１３について図示を省略してある。
【００１５】
信号検出部６は、各熱電対１０に電位差を与えるための電源３１、電源３１を各接続ケーブル１５に選択的に接続する切換部３２、および各熱電対１０に電位差を与えたときに回路に流れる電流値を測定する検流計３３を有する。そして、信号検出部６は、ガンマ線を測定する際、切換部３２によって複数の熱電対１０を選択的且つ任意に切り換え、電流計３３を介して回路に流れる電流値を測定し、この測定結果に基づいて該当する熱電対１０が配置された部位におけるガンマ線強度を検出する。
【００１６】
図４には、サーモメータ本体２の部分拡大断面図を示してある。  
サーモメータ本体２は、ガンマ線を熱に変換するガンマ線−熱変換機能を有するもので、ステンレス鋼、ジルカロイ合金あるいはインコネルなどの伝熱性に優れた金属の円筒形のカバーチューブ４１を有し、このカバーチューブ４１内には、同様にステンレス鋼、ジルカロイ合金あるいはインコネルなどの伝熱性に優れた金属の円筒形のコアチューブ４２が嵌装され、このコアチューブ４２の外周に沿って突出した環状の突部４３がカバーチューブ４１の内面に気密に当接され、アルゴン、クリプトンあるいはネオンなどの不活性ガスと水素ガスの混合基体が封入され熱伝導率の低い環状の断熱部４４が複数形成されている。
【００１７】
さらに、コアチューブ４２内には、熱電対１０を構成する熱電対ケーブル１１が挿入され、熱電対ケーブル１１の高温接点部１１ａがコアチューブ４２の軸方向では断熱部４４に対応する部分に位置して配設され、低温接点部１１ｂがコアチューブ４２の軸方向では突部４３に対応する部分に位置している。また、カバーチューブ４１の周囲には原子炉内の一次冷却水が流れ、この一次冷却水によりサーモメータ本体２が冷却される。
【００１８】
次に、図５の模式図を参照して、上述したガンマ線検出器１の動作原理について説明する。
【００１９】
まず、通常のガンマ線の測定に際しては、原子炉内のガンマ線によりサーモメータ本体２が発熱するが、一次冷却水により除熱される。この際、熱電対ケーブル１１の高温接点部１１ａがある断熱部４４は不活性ガスおよび水素ガスにより断熱されるため断熱部４４が位置しない部分にある低温接点部１１ｂとは温度差が生じる。この温度差がガンマ線強度と比例することから熱電対ケーブル１１で検知した温度の差動により間接的にガンマ線強度を測定する。
【００２０】
以上のように、本実施の形態のコネクタ４を採用したガンマ線検出器１によると、複数の熱電対１０から導出した接続ケーブル１５をそれぞれ独立して信号検出部６に接続したため、熱電対ケーブル１１と接続ケーブル１５を接続したコネクタ部２１より熱電対１０から離間した側、すなわち下流側で、例えば、何らかの原因によりケーブルの接続部分で絶縁抵抗が低下したような場合であっても、絶縁抵抗が低下したケーブルに接続された熱電対のみ使用不能となり、他の熱電対は続けて使用可能となる。これに対し、従来のように、接続ケーブルのアース側の線を複数本まとめて束線接続した場合、同じ部分で絶縁抵抗が低下したとしても全ての熱電対が使用不能となってしまう。
【００２１】
つまり、本発明のコネクタ４を採用すると、熱電対を接続したケーブルの接続部で絶縁抵抗が低下した場合であっても、全ての熱電対が使用不能となる不具合を防止でき、サーモメータの稼働率を大幅に低下させることを防止できる。これにより、原子炉の底部に配置して使用するガンマサーモメータに本発明のコネクタを適用した場合、原子炉の運転中にサーモメータの補修が不可能であるため、特に有効である。
【００２２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【図面の簡単な説明】
【００２３】
【図１】この発明の実施の形態に係るガンマサーモメータ用コネクタを組み込んだガンマ線検出器の概略構造を示す図。
【図２】図２のガンマ線検出器のコネクタの内部構造を説明するための部分拡大概略図。
【図３】図１のガンマ線検出器の回路構造を示す回路図。
【図４】図１のガンマ線検出器のサーモメータ本体の内部構造を説明するための部分拡大断面図。
【図５】図１のガンマ線検出器の動作原理を説明するための図。
【符号の説明】
【００２４】
１…ガンマ線検出器、２…サーモメータ本体、４…コネクタ、６…信号検出部、１０…熱電対、１１…熱電対ケーブル、１５…接続ケーブル、２１…コネクタ部、３１…電源、３２…切換部、３３…検流計。
【図１】
2005214675.tif 000003
【図２】
2005214675.tif 000004
【図３】
2005214675.tif 000005
【図４】
2005214675.tif 000006
【図５】
2005214675.tif 000007